(57)【要約】【課題】  本発明は機器の大型化を抑えたペン収容構造を有した電子機器の提供を目的とする。【解決手段】  間隙ＧにはＦＬインバータ21に隣接してペン９０を挿入するための収容部１００が設けられる。ペン収容部１００の挿入口１０１はＬＣＤカバー１６の側部に形成されている傾斜面１６ａに開口されている。ペン９０のクリップを含む後端部は開口部１０１より露出されている。後端部９１は傾斜面１６ａと略同一面を形成する形状を有している。このような構成とすることで機器の外観を損なわずペン９０の取り出しを容易にすることが可能となる。【選択図】  図４
2005208728.tif 000002
【特許請求の範囲】
【請求項１】
本体と、
上記本体に回動可能に接続されるとともに、カバー及びマスクとを有する表示部と、
上記表示部内に設けられ、上記マスクより露出されるタブレット入力パネルと、
上記タブレット入力パネルと上記カバーとの間に配置される液晶表示パネルと、
上記液晶表示パネルの背面と上記カバーとの間に配置されるタブレット制御基板と、
上記液晶表示パネルの背面と上記カバーとの間に配置されるペン収容部と、
を具備することを特徴とする電子機器。
【請求項２】
上記カバーは側部に傾斜面を有し、上記収容部の挿入口は上記傾斜面に設けられることを特徴とする請求項１記載の電子機器。
【請求項３】
上記挿入口に挿入されるペンの後端部は上記傾斜面と略同一面を形成する部分を有することを特徴とする請求項２記載の電子機器。
【発明の詳細な説明】
【技術分野】
【０００１】
本発明は、ポータブルコンピュータ等の電子機器に係り、特にペンの収容構造に関する
【背景技術】
【０００２】
近年、ペン入力を可能とするノート型コンピュータが開発されている。この種の電子機器は本体に回動可能に表示部が接続されており、表示部にはタブレット入力パネル（タブレット）および液晶表示パネル（ＬＣＤ）が内蔵されている。タブレット入力パネルへは専用のペンを介してデータ入力が行われる。このペンは通常本体に設けられているペン収容部あるいは表示部に設けられているペン収容部に収容されている。
（特許文献１，２，３参照。）。
【特許文献１】特開平５−１４３２１８号公報（第１図）
【特許文献２】特開平１１−３０５９２８号公報（第１図）
【特許文献３】特開２０００−１０６５４号公報（第１図，第６図）
【発明の開示】
【発明が解決しようとする課題】
【０００３】
特許文献１および２の機器は本体内にペン収容部を設けることで本体内部の各種部品の実装スペースを考慮する必要があり、高密度実装を妨げる要因となる。さらに特許文献３は表示部にペン収容部が設けられているが、この収容部はＬＣＤ及びタブレットと横に並べて配置される状態となっている。近年ＬＣＤ、タブレットは大型化される傾向にあり、このようなタブレット、ＬＣＤに並べてペン収容部が配置されると表示部全体が大型化してしまうという問題がある。そこで、本発明は機器の大型化を抑えたペン収容構造を有した電子機器の提供を目的とする。
【課題を解決するための手段】
【０００４】
上記目的を達成するために、請求項１に係る発明では、本体と、上記本体に回動可能に接続されるとともに、カバー及びマスクとを有する表示部と、上記表示部内に設けられ、上記マスクより露出されるタブレット入力パネルと、上記タブレット入力パネルと上記カバーとの間に配置される液晶表示パネルと、上記液晶表示パネルの背面と上記カバーとの間に配置されるタブレット制御基板と、上記液晶表示パネルの背面と上記カバーとの間に配置されるペン収容部と、を具備することを特徴とする。
【発明の効果】
【０００５】
本発明によれば、機器の大型化を抑えたペン収容構造を有した電子機器の提供することが可能となる。
【発明を実施するための最良の形態】
【０００６】
以下に本発明の実施の形態を、ポータブルコンピュータに適用した図面に基づいて説明する。
【０００７】
図１と図２は、電子機器の一例としてのポータブルコンピュータ１を示している。このポータブルコンピュータ１は、本体２と表示部３を備えている。本体２は、偏平な箱状の第１の筐体４を有している。第１の筐体４は、ベース部材５と、ベース部材５の上面側開口を閉塞するトップカバー６などによって構成されている。
【０００８】
第１の筐体４は、キーボード取り付け部８とバッテリ収容部９とを備えている。キーボード取り付け部８は、トップカバー６の上面に開口する凹所であり、キーボード１０を支持している。バッテリ収容部９は、キーボード１０の背後に位置する凹所であり、バッテリパック１１を取り外し可能に支持している。図２に示されるように、第１の筐体４の内部に、このポータブルコンピュータ１の制御等をつかさどる電子部品等が実装されたシステム基板１２が収容されている。
【０００９】
図３から図５に示すように表示部３は、第２の筐体１３と、液晶表示パネル１４と、光学的に透明な材料からなるタブレット入力パネル１５などを備えている。タブレット入力パネル１５は、図示しないタブレットペン等を用いて描かれた文字や図形等を電気信号に変換し、システム基板１２に入力できるようになっている。
【００１０】
第２の筐体１３は、前記第１の筐体４と略同じ面積の偏平な箱状をなしている。第２の筐体１３は、液晶表示パネル１４の裏面側を覆いかつ液晶表示パネル１４を支持するＬＣＤカバー１６と、枠状のマスク部材１７とを備えている。液晶表示パネル１４の前面である画像表示面は、第２の筐体１３の外方に露出している。
【００１１】
図４と図５に示すように、ＬＣＤカバー１６の内側に、タブレット制御基板２０やバックライトを作動させるためのＦＬインバータ２１、液晶表示パネル１４の基板１４ａなどの電子部品が収容されている。タブレット制御基板２０やＦＬインバータ２１は、第２の筐体１３を構成するＬＣＤカバー１６の内面に接着剤等の固定手段によって固定されている。タブレット制御基板２０と液晶表示パネル１４の背面との間に、間隙Ｇが確保されている。
【００１２】
図４に示すように、液晶表示パネル１４の基板１４ａに接続される第１のハーネス部材３０と、ＦＬインバータ２１に接続される電気ケーブル３１は、後述する第１のヒンジ部４１を経由して、本体２の内部のシステム基板１２に電気的に接続される。
【００１３】
間隙ＧにはＦＬインバータ21に隣接してペン９０を挿入するための収容部１００が設けられる。ペン収容部１００の挿入口１０１はＬＣＤカバー１６の側部に形成されている傾斜面１６ａに開口されている。ペン９０のクリップを含む後端部は開口部１０１より露出されている。後端部９１は傾斜面１６ａと略同一面を形成する形状を有している。このような構成とすることで機器の外観を損なわずペン９０の取り出しを容易にすることが可能となる。
【００１４】
タブレット制御基板２０に接続される第２のハーネス部材３２は、後述する第２のヒンジ部４２を経由してシステム基板１２に電気的に接続される。タブレット入力パネル１５とタブレット制御基板２０とは、位置座標検出用の信号線３３（図４に示す）を介して互いに電気的に接続されている。
【００１５】
表示部３は、本体２の後端側に設けられた第１のヒンジ部４１と第２のヒンジ部４２によって、本体２に対し上下方向に開閉可能に取付けられている。すなわちこの表示部３は、閉じ位置と開き位置との間で回動可能であり、閉じた位置では、表示部３が本体２の上に横たわり、キーボード１０を上方から覆い隠すようになっている。
【００１６】
表示部３は、前記開き位置のときに本体２の後端部から起立するため、本体２のキーボード１０と、表示部３のタブレット入力パネル１５が露出する。この開き位置では、透明なタブレット入力パネル１５を介して、その内側に配置されている液晶表示パネル１４を透視することができる。
【００１７】
第１のヒンジ部４１は、本体２の後端の一方の側部に固定される第１のヒンジ装置５１と、表示部３の後端の一方の側部に形成された第１の凸部５２と、本体２の後端の一方の側部に形成された第１の凹部５３などを含んでいる。第１の凸部５２は、表示部３の閉じ位置、すなわち表示部３を本体２に重ねた状態において、下側に突出している。
【００１８】
図６に示すように第１の凹部５３は、筐体４の後端の一方のコーナー部に形成された後壁４ａと側壁４ｂとによって規定されている。この第１の凹部５３は、第１の凸部５２を受け入れることができる形状である。
【００１９】
第１のヒンジ装置５１は、本体２のヒンジ取付部５５に固定される固定側ブラケット５６と、前記第１の凸部５２の内側に配置されて表示部３に固定される可動側ブラケット５７（図３に示す）と、これらブラケット５６，５７を回動可能に連結するヒンジ軸５８とを備えている。ヒンジ軸５８は、本体２の幅方向に沿って水平に配置されている。これらブラケット５６，５７は、ヒンジ軸５８の軸回りに相対的に回動可能である。
【００２０】
第１の凸部５２と第１の凹部５３の側壁４ｂとの相互対向部に、それぞれ開口部６０，６１が形成されている。一方の開口部６０は第１の凸部５２の内側面に形成されている。他方の開口部６１は、筐体４を構成するベース部材５とトップカバー６との合わせ部にそれぞれ形成された半円形の凹部からなり（図６はベース部材５の凹部のみを示す）、ベース部材５とトップカバー６とを合わせた状態において、これら一対の凹部によっておおむね円形の開口部６１が形成されるようになっている。
【００２１】
これら開口部６０，６１に、前記ヒンジ軸５８と、第１のハーネス部材３０とＦＬインバータ２１の電気ケーブル３１が挿通されている。第１のハーネス部材３０と電気ケーブル３１はまとめてテーピングされている。図６に示されるように、第１のハーネス部材３０と電気ケーブル３１の一部３０ａ，３１ａは、ヒンジ軸５８の外周面に沿って配置されている。
【００２２】
表示部３が開閉される際に、表示部３の開閉動作に伴って、第１のハーネス部材３０と電気ケーブル３１が不可避的にヒンジ軸５８の周りを移動する。このため本体２側に形成される開口部６１は、表示部３が開閉する際の第１のハーネス部材３０と電気ケーブル３１の回動軌跡を避けることのできる大きさと形状に形成されている。また、本体２の内部には、第１のヒンジ部４１の近傍に、第１のハーネス部材３０の移動を許容することができる広さのハーネス収容部６２が形成されている。
【００２３】
このような構成であれば、表示部３を開閉する際に生じる第１のハーネス部材３０の動きを本体２側で吸収することが可能となり、表示部３内で第１のハーネス部材３０が動かないようにすることができるため、表示部３内におけるハーネス部材３０の接続部等を保護することができる。
【００２４】
第２のヒンジ部４２は、本体２の後端の他方の側部に配置される第２のヒンジ装置７１と、表示部３の後端の他方の側部に形成された第２の凸部７２と、本体２の後端の他方の側部に形成された第２の凹部７３などを含んでいる。
【００２５】
第２の凸部７２は、第１の凸部５２に対し、表示部３の幅方向に互いに離れた位置に形成されている。第２の凸部７２は、表示部３を閉じた状態において下側に突出している。
【００２６】
図７に示すように第２の凹部７３は、筐体４の後端の他方のコーナー部に形成された後壁４ｃと側壁４ｄとによって規定されている。第２の凹部７３は、第２の凸部７２を受け入れることができる形状である。
【００２７】
第２のヒンジ装置７１は、本体２のヒンジ取付部７５に固定される固定側ブラケット７６と、前記第２の凸部７２の内側に配置されて表示部３に固定される可動側ブラケット７７（図３に示す）と、これらブラケット７６，７７を回動可能に連結するヒンジ軸７８を備えている。ヒンジ軸７８は、本体２の幅方向に沿って水平に配置されている。これらブラケット７６，７７は、ヒンジ軸７８の軸回りに相対的に回動可能である。
【００２８】
第２の凸部７２と、第２の凹部７３の側壁４ｄとの相互対向部にそれぞれ開口部８０，８１が形成されている。一方の開口部８０は第２の凸部７２の内側面に形成されている。他方の開口部８１は、図８に示すように、筐体４を構成するベース部材５とトップカバー６との合わせ部にそれぞれ形成された半円形の凹部からなり、ベース部材５とトップカバー６とを合わせた状態において、おおむね円形の開口部８１が形成されるようになっている。
【００２９】
図７に示されるように、これら開口部８０，８１に、前記ヒンジ軸７８と、第２のハーネス部材３２が挿通されている。第２のハーネス部材３２の一部３２ａはヒンジ軸７８の外周面に沿って配置されている。
【００３０】
表示部３が開閉される際に、表示部３の開閉動作に伴って、第２のハーネス部材３２がヒンジ軸７８の周りを移動する。このため本体２側に形成される開口部８１は、表示部３が開閉される際の第２のハーネス部材３２の回動軌跡を避けることのできる大きさと形状に形成されている。また、本体２の内部には、第２のヒンジ部４２の近傍に、第２のハーネス部材３２の移動を許容することのできる広さのハーネス収容部８２が形成されている。
【００３１】
このような構成であれば、表示部３を開閉する際に不可避的に生じる第２のハーネス部材３２の動きを、本体２側で吸収することが可能となり、表示部３内で第２のハーネス部材３２が動かないようにすることができるため、表示部３内におけるハーネス部材３２の接続部等を保護することができる。
【００３２】
図８は表示部３を閉じた状態、図９は表示部３を開いた状態の第２のヒンジ部４２を示している。図８に示すように表示部３が閉じた状態から、図９に示すように表示部３を開けると、開口部８１内を第２のハーネス部材３２がヒンジ軸７８の周りを移動する。第１のヒンジ部４１においても同様に、開口部６１内を第１のハーネス部材３０がヒンジ軸５８の周りを移動する。
【００３３】
このようなヒンジ部４１，４２を備えたポータブルコンピュータ１によれば、表示部３を開閉する際に、本体２側に形成されている開口部６１，８１とハーネス収容部６２，８２によって、ハーネス部材３０，３２の移動を許容できるため、ハーネス部材３０，３２に無理な力が加わらず、断線等の不具合を生じることを回避できる。
【００３４】
この実施形態のポータブルコンピュータ１は、表示部３の内部において第１のハーネス部材３０と第２のハーネス部材３２を二方に分けて配置し、第１のハーネス部材３０を第１のヒンジ部４１に形成された開口部６０，６１を通すとともにヒンジ軸５８に沿って配置し、第２のハーネス部材３２を第２のヒンジ部４２に形成された開口部８０，８１を通すとともにヒンジ軸７８に沿って配置している。
【００３５】
このため、ハーネス部材３０，３２を通すの必要な各ヒンジ部４１，４２の一つ当たりのハーネス挿通スペースを小さくすることが可能となり、その分、ヒンジ部４１，４２の小形化が図れ、本体２と表示部３の小形化に寄与できる。
【００３６】
タブレット入力パネル１５は、タブレット制御基板２０との接続に使用される座標検出用の信号線３３の位置によって特性が影響を受けることがある。このためタブレット制御基板２０は、表示部３の内部の特定の位置に配置することが求められる。
【００３７】
本実施形態によれば、タブレット制御基板２０に接続される第２のハーネス部材３２を第１のハーネス部材３０とは完全に分けて第２のヒンジ部４２に通すため、タブレット制御基板２０が液晶表示パネル１４の基板１４ａやＦＬインバータ２１に対してどのような位置に配置されても、対応することができる。すなわちタブレット制御基板２０の配置や配線レイアウトに関して自由度が増し、その分、表示部３の設計も容易となる。
【００３８】
なお本発明に係る電子機器は、ポータブルコンピュータに限らず、要するに、本体に対して開閉可能な表示部を備えた電子機器であって、この表示部にタブレット機能をもたせたものであれば、同様に実施することができる。
【図面の簡単な説明】
【００３９】
【図１】本発明の実施の形態に係るポータブルコンピュータの斜視図。
【図２】図１に示されたポータブルコンピュータの本体のトップカバーを外した状態の斜視図。
【図３】図１に示されたポータブルコンピュータの表示部を本体から外した状態の斜視図。
【図４】図１に示されたポータブルコンピュータの表示部を閉じた状態の平面図。
【図５】図４中のＦ５−Ｆ５線に沿う表示部の断面図。
【図６】図１に示されたポータブルコンピュータの第１のヒンジ部付近を示す斜視図。
【図７】図１に示されたポータブルコンピュータの第２のヒンジ部付近を示す斜視図。
【図８】前記表示部が閉じた状態を示す第２のヒンジ部の断面図。
【図９】前記表示部が開いた状態を示す第２のヒンジ部の断面図。
【符号の説明】
【００４０】
１...ポータブルコンピュータ（電子機器）、２...本体、３...表示部、１２...システム基板、１４...液晶表示パネル、２０...タブレット制御基板、３０...第１のハーネス部材、３２...第２のハーネス部材、４１...第１のヒンジ部、４２...第２のヒンジ部、５１...第１のヒンジ装置、５８...ヒンジ軸、６０，６１...開口部、７１...第２のヒンジ装置、７８...ヒンジ軸、８０，８１...開口部、９０...ペン、９１...後端部、１００...収容部、１０１...挿入口。
【図１】
2005208728.tif 000003
【図２】
2005208728.tif 000004
【図３】
2005208728.tif 000005
【図４】
2005208728.tif 000006
【図５】
2005208728.tif 000007
【図６】
2005208728.tif 000008
【図７】
2005208728.tif 000009
【図８】
2005208728.tif 000010
【図９】
2005208728.tif 000011